(57)【要約】【課題】モーターとクラッチ組立体の第１ブラケットと内槽とを結合しているナットを露出させて、当該ナットを緩めて、モーターとクラッチ組立体を取り外すことを可能にすべく自動洗濯機の部品（パルセーター駆動軸及びパルセーター）取り外し方法を提供することである。【解決手段】パルセーター駆動軸（ＰＳ）のビスねじを緩めて取り外した後、パルセーター駆動軸（ＰＳ）の雌ねじ部に系止部材（２）の雄ねじ体（１）の雄ねじ（１ａ）を螺合し、系止部材（２）に接続部材（３）をねじ接合するとともに、接続部材（３）に打撃部材（４）をねじ接合し、次いで打撃部材（４）のハンマー部（ＨＭ）を鍔部（４ｂ）に衝突させることによって、雄ねじ体（１）に上向きの衝撃力を作用させてパルセーター駆動軸（ＰＳ）と槽パッキン部との固着状態を解消し、パルセーター駆動軸（ＰＳ）と共にパルセーター（Ｐ）を自動洗濯機本体（ＡＷ）から上方向に取り外すことを特徴とする自動洗濯機の部品取り外し方法。【選択図】図３
2011067652.tif 000002
【特許請求の範囲】
【請求項１】
パルセーター駆動軸（ＰＳ）のビスねじを緩めて取り外した後、パルセーター駆動軸（ＰＳ）の雌ねじ部に系止部材（２）の雄ねじ体（１）の雄ねじ（１ａ）を螺合し、系止部材（２）に接続部材（３）をねじ接合するとともに、接続部材（３）に打撃部材（４）をねじ接合し、次いで打撃部材（４）のハンマー部（ＨＭ）を鍔部（４ｂ）に衝突させることによって、雄ねじ体（１）に上向きの衝撃力を作用させてパルセーター駆動軸（ＰＳ）と槽パッキン部との固着状態を解消し、パルセーター駆動軸（ＰＳ）と共にパルセーター（Ｐ）を自動洗濯機本体（ＡＷ）から上方向に取り外すことを特徴とする自動洗濯機の部品取り外し方法。
【請求項２】
請求項１の自動洗濯機の部品取り外し方法を用いて、互いに固着されたパルセーター駆動軸（ＰＳ）及びパルセーター（Ｐ）を自動洗濯機本体から上方向に取り外した後に、モーター（Ｍ）又は／及びクラッチ組立体（ＭＣ）の第１ブラケット（Ｂ１）と内槽（ＡＷ１）とを結合している第１ボルト（ＢＮ１）及び第１ナット（Ｎ１）を緩めて外し、モーター（Ｍ）又は／及びクラッチ組立体（ＭＣ）の第２ブラケット（Ｂ２）と外槽（ＡＷ２）とを結合している第２ボルト（ＢＮ２）及び第２ナット（Ｎ２）を緩めて外し、モーター（Ｍ）又は／及びクラッチ組立体（ＭＣ）を、自動洗濯機本体（ＡＷ）の底部開口部（ＡＷｏ）から外に取り外すことを特徴とする請求項１に記載の自動洗濯機の部品取り外し方法。
【請求項３】
モーター（Ｍ）又は／及びクラッチ組立体（ＭＣ）を、自動洗濯機本体（ＡＷ）を横に倒して、自動洗濯機本体（ＡＷ）の底部開口部（ＡＷｏ）から外に取り外すことを特徴とする請求項２に記載の自動洗濯機の部品取り外し方法。
【発明の詳細な説明】
【技術分野】
【０００１】
発明は、自動洗濯機の部品取り外し方法及び自動洗濯機の補修方法に関する。
【背景技術】
【０００２】
従来、自動洗濯機の部品で故障しがちなのは駆動部を有するモーター部分であり、故障したモーター部のみ取り替えることが可能であるならば、自動洗濯機の補修が可能であり、自動洗濯機の延命化が可能となり、低コスト化が可能となる。
また、実際に自動洗濯機の故障箇所の特定は、モーター部を自動洗濯機本体の外に取り外してこそ可能となるもので、モーター部を取り付けたままの状態では不可能であり、モーター部を自動洗濯機本体の外に取り外すための技術が必要不可欠になる。
従来、モーター部を取り外すためには、洗濯機の内槽の底部上部のパルセーターを取り外すことが必要となるが、パルセーターはパルセーター駆動軸に対して錆と洗剤等により強く固着されてしまっており、パルセーターとパルセーター駆動軸とを取り外すことは物理的に不可能であった。
【０００３】
そこで、パルセーターをガスバーナーで焼き切って取り除き、パルセーターの下に隠れていたモーターとクラッチ組立体の第１ブラケットと内槽とを結合しているナットを露出させ、当該ナットを緩めて外そうと試みたが、パルセーターはバーナーの熱により、黒煙を吐き出し、有害物質を排出するおそれもあり、かかる試みは成功しなかった。
さらに、パルセーター駆動軸をサンダー（電動工具）等により、削り取る試みも行ったが、騒音等の問題があり、やはり、かかる試みも成功しなかった。
出願人は、いろいろ先行技術を調査したところ、自動洗濯機自体の先行技術は発見されたが、自動洗濯機の補修方法や、その前に必要な自動洗濯機の部品取り外し具及び自動洗濯機の部品取り外し方法に関する先行技術は殆ど発見することができなかった。
【０００４】
関連する先行技術として、特開平６−２３８０８５号公報（特許文献１）を提示しておく。
特許文献１は、「洗濯水が満たされる外槽１と、前記外槽の内部に同軸状態で設置された内槽２と、前記内槽２の下部に設置された、前記外槽内の洗濯水の水位に応じて前記内槽を昇降させるための浮力発生手段と、外槽１と内槽２の下側の中央に貫通され回転可能に設置されて前記内槽の昇降をガイドするシャフトと、前記シャフトに回転力を供給する手段４と、前記内槽の底部の内部で前記シャフトの上端に固定されて水流を発生させる手段５と、前記シャフトにより案内されて昇降する内槽２の位置変動に応じて内槽２を水流発生手段と外槽１とに選択的に結合させるクラッチング手段とを備え、さらに水流発生手段と内槽との慣性力の差を用いて前記クラッチング動作の完了有無を確認するクラッチング確認手段構成」を開示している。
特許文献１に開示された自動洗濯機は、「本発明の全自動洗濯機は複雑な構造のクラッチを使用せず内槽の自重と洗濯水の浮力による昇降により駆動力が内槽に伝達して洗濯及び脱水を遂行する構造を有するので、給水を開始した後、所定水位に到達するモーターを間歇的に左右方に攪拌して、内槽の浮上時にギア形突起がギア形溝と噛み合うようにしてクラッチングを円滑に遂行できる」という効果を奏する。
【先行技術文献】
【特許文献】
【０００５】
【特許文献１】特開平６−２３８０８５号公報
【発明の概要】
【発明が解決しようとする課題】
【０００６】
本発明が解決しようとする課題は、以下の通りである。
（１）本発明が解決しようとする第１課題
モーターとクラッチ組立体の第１ブラケットと内槽とを結合しているナットを露出させて、当該ナットを緩めて、モーターとクラッチ組立体を取り外すことを可能にすべく自動洗濯機の部品（パルセーター駆動軸及びパルセーター）取り外し方法を提供することである。
【０００７】
（２）本発明が解決しようとする第２課題
自動洗濯機のパルセーター駆動軸及びパルセーターを取り外して、モーターとクラッチ組立体の第１ブラケットと内槽とを結合しているナットを露出させて、当該ナットを緩めて、モーターとクラッチ組立体を取り外すことを可能にする自動洗濯機の部品（パルセーター駆動軸及びパルセーター、モーターとクラッチ組立体）取り外し方法を提供することである。
【０００８】
削除
【課題を解決するための手段】
【０００９】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○パルセーターとは、日本で主流の渦巻き式洗濯機の洗濯槽底部にあって、渦巻き水流をつくる攪拌翼をいう。
○自動洗濯機とは、洗濯物を入れてスタートすると、すすぎ、脱水まで自動的に行う洗濯機をいう。
○パルセーター駆動軸とは、モーターにより、パルセーターを駆動するための駆動軸をいう。パルセーター駆動軸は、内槽駆動軸の中空内に挿入されている。
○内槽駆動軸とは、モーターにより、内槽（洗濯槽）を駆動するための駆動軸をいい、中空構造をしており、パルセーター駆動軸が内槽駆動軸の中空内に挿入されている。
○パルセーター駆動軸の雌ねじ部とは、２つの半割円盤体を接合して一体とした円盤をいう。雄ねじ体の雄ねじが雌ねじ部に螺合される。
【００１０】
○雄ねじ体とは、雄ねじと頭部とから構成されている。この雄ねじは、パルセーター駆動軸の雌ねじ部に螺合される。
○自動洗濯機の部品（その１）とは、自動洗濯機のパルセーターとパルセーター駆動軸の固着体をいう。
自動洗濯機の部品（その２）とは、自動洗濯機のモーター部又は／及びクラッチ組立体をいう。
自動洗濯機の部品（その３）とは、自動洗濯機のパルセーターとパルセーター駆動軸、及び自動洗濯機のモーター又は／及びクラッチ組立体をいう。
○自動洗濯機の部品取り外し具とは、自動洗濯機の部品（自動洗濯機のパルセーターとパルセーター駆動軸の固着体）を取り外すための道具をいう。
○系止部材２とは、パルセーター駆動軸の雌ねじ部に螺合するための雄ねじ体と、雄ねじ体の頭部を系止するための系止部を有してなる部材である。
○接合部材３とは、系止部材２、及び打撃部材４を相互に接合する部材である。
系止部材２と接続部材３が相互に（ねじ）接合され得る。
あるいは、系止部材２と接続部材３とは、最初から相互に一体的に接合されている（例えば、溶接接合されている）場合もある。
【００１１】
○打撃部材４とは、心棒と鍔部とストッパー部を有し、鍔部とストッパー部の間において、中心部に中空（貫通孔）を有するハンマー部を心棒に挿入してなる、パルセーター駆動軸に印加するための衝撃力を発生させる部材である。
○ハンマー部とは、中心部に中空（貫通孔）を有し、貫通孔に心棒を通した構造を有し、雄ねじ体を自動洗濯機本体から取り外すために、鍔部とストッパー部の間において、急激に動かして鍔部に打ち当てて、運動を急に停止させることにより衝撃力を発生させるための部材である。
○鍔部とは、ハンマー部が衝突することにより衝撃力を受ける部位のことをいう。
○ストッパー部とは、鍔部と反対側においてハンマー部を受ける部位のことをいう。ストッパー部により、ハンマー部が抜け出すのを防止する。また、ハンマー部の運動の起点となる。
○ビスねじとは、比較的小さな頭付きのおねじ部品をいう。特にすりわりや十字穴を持つものをいう。「小ねじ」とほぼ同義である。
○一体的に接合されてなるとは、溶接等により、分離することなく常に一つの物品となるように構成することをいう。
【００１２】
○第１ブラケットとは、モーター又は／及びクラッチ組立体側に設置され、モーター又は／及びクラッチ組立体と内槽とを結合するための部品をいう。
○第２ブラケットとは、モーター又は／及びクラッチ組立体側に設置され、モーター又は／及びクラッチ組立体と外槽とを結合するための部品をいう。
○ナットとは、中央に雌ねじと呼ばれる開口部が切ってあり、ボルトと組合せて使用される締結部品をいう。一般には外形が六角柱をした六角ナットをいう。本願明細書におけるナットには、第１ナットと第２ナットがある。
○ボルトとは、雄ねじが切られた軸部と頭部からなり、ナットと組合せて使用される締結部品をいう。本願明細書におけるボルトには、第１ボルトと第２ボルトがある。
○第１ナットとは、内槽と第１ブラケットを締結するためのナットをいう。
○第２ナットとは、外槽と第２ブラケットを締結するためのナットをいう。
○第１ボルトとは、内槽と第１ブラケットを締結するためのボルトをいう。
○第２ボルトとは、外槽と第２ブラケットを締結するためのボルトをいう。
○クラッチ組立体とは、モーターからパルセーター、内槽を回転・停止させるために動力を伝達あるいは遮断する装置をいう。
【００１３】
本発明者は、上記の従来技術が有する各種の問題点に鑑み、鋭意検討を重ねて、本発明を完成したものである。
本発明者が、本発明が解決しようとする課題の重要性に気が付く契機となったのは、従来技術の欠点を生ずる最大かつ唯一の原因は、パルセーターはパルセーター駆動軸に固着してしまっているのでパルセーターのみを取り出すことが不可能であることに気が付いたことである。
そこで、本発明者は、パルセーターのみを取り出すことは諦めて、その代わりにパルセーターとパルセーター駆動軸の固着体を同時に取り出す方法はないものかと種々検討・模索を重ねて、本発明を完成したものである。
しかし、パルセーター駆動軸に冶具を取り付けて、上方向に静的な引張力で引張上げてみても、パルセーター駆動軸と槽パッキン部とが固着してしまっていて、パルセーター、パルセーター駆動軸、内槽、外槽、及びモーター又は／及びクラッチ組立体が全体として持ち上がるのみで、パルセーター駆動軸と内槽パッキン部のみを自動洗濯機本体から分離・取り出すことができないという次なる難題が待ち構えていた。
【００１４】
元々、パルセーター、パルセーター駆動軸、内槽、外槽、及びモーター又は／及びクラッチ組立体はスプリングで吊り上げられる構造となっていて、パルセーター、パルセーター駆動軸、内槽、外槽、及びモーター又は／及びクラッチ組立体には、上方向の静的な引張力が付加されているので、上方向に静的な引張力で引張上げてみても、パルセーター駆動軸と槽パッキン部とが固着してしまっていて、パルセーター、パルセーター駆動軸、内槽、外槽、及びモーター又は／及びクラッチ組立体が全体として持ち上がり易く、パルセーター駆動軸と内槽パッキン部のみを自動洗濯機本体から分離・取り出すことが容易でなかった。
【００１５】
上記問題を解決するために種々努力を行った結果、ハンマーにより、瞬間的な衝撃力をパルセーター駆動軸に印加するという着想を幸運にも得て、この着想を種々工夫して実際に試みたところ、パルセーター駆動軸と槽パッキン部とが固着していたにも拘わらず、この固着状態を解消させて、パルセーターとパルセーター駆動軸の固着体を同時に取り外して、取り出すことに成功をした。
これにより、第１の課題を達成したら、順次、第２の課題、第３の課題を達成することができた。
課題を解決するための手段は、本願の特許請求の範囲の各請求項に記載の発明であり、その具体的な解決手段は、以下の通りである。
【００１６】
削除
【００１７】
削除
【００１８】
○第１の発明（請求項１に記載の発明）
上記の課題を解決するための第１の発明（請求項１に記載の発明）は、
パルセーター駆動軸ＰＳのビスねじを緩めて取り外した後、パルセーター駆動軸ＰＳの雌ねじ部に系止部材２の雄ねじ体１の雄ねじ１ａを螺合し、系止部材２に接続部材３をねじ接合するとともに、接続部材３に打撃部材４をねじ接合し、次いで打撃部材４のハンマー部ＨＭを鍔部４ｂに衝突させることによって、雄ねじ体１に上向きの衝撃力を作用させてパルセーター駆動軸ＰＳと槽パッキン部との固着状態を解消し、パルセーター駆動軸ＰＳと共にパルセーターＰを自動洗濯機本体ＡＷから上方向に取り外すことを特徴とする自動洗濯機の部品取り外し方法である。
【００１９】
削除
【００２０】
○第２の発明（請求項２に記載の発明）
上記の課題を解決するための第２の発明（請求項２に記載の発明）は、
請求項１の自動洗濯機の部品取り外し方法を用いて、互いに固着されたパルセーター駆動軸ＰＳ及びパルセーターＰを自動洗濯機本体から上方向に取り外した後に、モーターＭ又は／及びクラッチ組立体ＭＣの第１ブラケットＢ１と内槽ＡＷ１とを結合している第１ボルトＢＮ１及び第１ナットＮ１を緩めて外し、モーターＭ又は／及びクラッチ組立体ＭＣの第２ブラケットＢ２と外槽ＡＷ２とを結合している第２ボルトＢＮ２及び第２ナットＮ２を緩めて外し、モーターＭ又は／及びクラッチ組立体ＭＣを、自動洗濯機本体ＡＷの底部開口部ＡＷｏから外に取り外すことを特徴とする請求項１に記載の自動洗濯機の部品取り外し方法である。
○第３の発明（請求項３に記載の発明）
上記の課題を解決するための第３の発明（請求項３に記載の発明）は、
モーターＭ又は／及びクラッチ組立体ＭＣを、自動洗濯機本体ＡＷを横に倒して、自動洗濯機本体ＡＷの底部開口部ＡＷｏから外に取り外すことを特徴とする請求項２に記載の自動洗濯機の部品取り外し方法である。
【００２１】
削除
【００２２】
削除
【００２３】
削除
【００２４】
削除
【発明の効果】
【００２５】
本発明に係る自動洗濯機の部品取り外し方法は、上記のような特徴的構成要件から構成され、特徴的構成要件に応じた、以下のような本願発明特有の効果を奏する。
また、上記のような特徴的構成要件から構成された自動洗濯機の部品取り外し方法によれば、本願発明の課題を解決することができた。
【００２６】
削除
【００２７】
○第１の発明の効果
第１の発明によれば、パルセーター駆動軸ＰＳのビスねじを緩めて取り外した後、パルセーター駆動軸ＰＳの雌ねじ部に系止部材２の雄ねじ体１の雄ねじ１ａを螺合し、系止部材２に接続部材３をねじ接合するとともに、接続部材３に打撃部材４をねじ接合し、次いで打撃部材４のハンマー部ＨＭを鍔部４ｂに衝突させることによって、雄ねじ体１に上向きの衝撃力を作用させてパルセーター駆動軸ＰＳと槽パッキン部との固着状態を解消し、パルセーター駆動軸ＰＳと共にパルセーターＰを自動洗濯機本体ＡＷから上方向に取り外すという特徴的な構成要件により、
モーター又は／及びクラッチ組立体の第１ブラケットと内槽とを結合している第１ナットを露出させ、当該第１ナット及び第１ボルトを緩めて、モーター又は／及びクラッチ組立体を取り外すことを可能にする自動洗濯機の部品（パルセーター及びパルセーター駆動軸）取り外し方法を提供することができた。
すなわち、本発明が解決しようとする第１課題を達成することができ、当業者が予測不可能な顕著な効果を奏することができた。
【００２８】
削除
【００２９】
○第２の発明の効果
第２の発明によれば、請求項１の自動洗濯機の部品取り外し方法を用いて、パルセーター駆動軸ＰＳと共にパルセーターＰを自動洗濯機本体から上方向に取り外した後に、モーターＭ又は／及びクラッチ組立体ＭＣの第１ブラケットＢ１と内槽ＡＷ１とを結合している第１ボルトＢＮ１及び第１ナットＮ１を緩めて外し、モーターＭ又は／及びクラッチ組立体ＭＣの第２ブラケットＢ２と外槽ＡＷ２とを結合している第２ボルトＢＮ２及び第２ナットＮ２を緩めて外し、モーターＭ又は／及びクラッチ組立体ＭＣを、自動洗濯機本体ＡＷの底部開口部ＡＷｏから外に取り外すという特徴的な構成要件により、
自動洗濯機のパルセーターを取り外して、モーター又は／及びクラッチ組立体の第１ブラケットと内槽とを結合している第１ナットを露出させて、当該第１ナット及び第１ボルトを緩めて、モーター又は／及びクラッチ組立体を内槽から取り外し、モーター又は／及びクラッチ組立体の第２ブラケットと外槽とを結合している第２ナットを露出させて、当該第２ナット及び第２ボルトを緩めて、モーター又は／及びクラッチ組立体を取り外すことを可能にする自動洗濯機の部品（パルセーター、パルセーター駆動軸、モーター又は／及びクラッチ組立体）取り外し方法を提供することができた。
すなわち、本発明が解決しようとする第２課題を達成することができ、当業者が予測不可能な顕著な効果を奏することができた。
【００３０】
○第３の発明の効果
第３の発明によれば、モーターＭ又は／及びクラッチ組立体ＭＣを、自動洗濯機本体ＡＷを横に倒して、自動洗濯機本体ＡＷの底部開口部ＡＷｏから外に取り外すという自動洗濯機の部品取り外し方法の具体的構成を開示することにより、
本発明が解決しようとする第２課題を達成することができ、当業者が予測不可能な顕著な効果を奏することができた。
【００３１】
削除
【００３２】
削除
【００３３】
削除
【００３４】
削除
【図面の簡単な説明】
【００３５】
【図１】モーターＭと直結されたクラッチ組立体ＭＣとパルセーターＰがパルセーター駆動軸ＰＳによって直結された自動洗濯機の一部を切欠した正面図である。
【図２】モーターＭとクラッチ組立体ＭＣがベルト式動力伝達機構により連結された自動洗濯機の一部を切欠した正面図である。
【図３】自動洗濯機の部品取り外し具の一実施形態を自動洗濯機に装着した状態を示す正面部分断面図である。
【図４】自動洗濯機の部品取り外し具の一実施形態を自動洗濯機に装着する手順を説明するための斜視図である。
【図５】自動洗濯機の部品取り外し具の一実施形態を自動洗濯機に装着した状態を示す正面拡大断面図である。
【図６】自動洗濯機の部品取り外し具の他の実施態様を示す正面図である。
【図７】自動洗濯機の部品取り外し具を用いることによる、自動洗濯機の部品取り外し方法の一実施形態のフローチャートである。
【図８】自動洗濯機の部品取り外し具を用いることによる、自動洗濯機の部品取り外し方法の他の実施形態のフローチャートである。
【図９】自動洗濯機の補修方法の一実施形態のフローチャートである。
【図１０】自動洗濯機の補修方法の他の実施形態のフローチャートである。
【図１１】自動洗濯機の部品取り外し具のさらに他の実施態様の主要部を示す正面図である。
【図１２】図１１の自動洗濯機の部品取り外し具の底面図である。
【図１３】図１１の自動洗濯機の部品取り外し具を装着する前の状態を示す正面図である。
【図１４】図１１の自動洗濯機の部品取り外し具を装着した状態を示す正面図である。
【発明を実施するための形態】
【００３６】
以下、本発明に係る自動洗濯機の部品取り外し方法に関する実施形態について、図面を参照しながら説明する。
［図１］は、モーターＭと直結されたクラッチ組立体ＭＣとパルセーターＰがパルセーター駆動軸ＰＳによって直結された自動洗濯機の一部を切欠した正面図である。
［図２］は、モーターＭとクラッチ組立体ＭＣがベルト式動力伝達機構により連結された自動洗濯機の一部を切欠した正面図である。
［図３］は、自動洗濯機の部品取り外し具の一実施形態を自動洗濯機に装着した状態を示す正面部分断面図である。
［図４］は、自動洗濯機の部品取り外し具の一実施形態を自動洗濯機に装着する手順を説明するための斜視図である。
［図５］は、自動洗濯機の部品取り外し具の一実施形態を自動洗濯機に装着した状態を示す正面拡大断面図である。
［図６］は、自動洗濯機の部品取り外し具の他の実施形態を示す正面図である。
［図７］は、自動洗濯機の部品取り外し具を用いることによる、自動洗濯機の部品取り外し方法の一実施形態のフローチャートである。
［図８］は、自動洗濯機の部品取り外し具を用いることによる、自動洗濯機の部品取り外し方法の他の実施形態のフローチャートである。
［図９］は、自動洗濯機の補修方法の一実施形態のフローチャートである。
［図１０］は、自動洗濯機の補修方法の他の実施形態のフローチャートである。
［図１１］は、自動洗濯機の部品取り外し具のさらに他の実施態様の主要部を示す正面図である。
［図１２］は、図１１の自動洗濯機の部品取り外し具の底面図である。
［図１３］は、図１１の自動洗濯機の部品取り外し具を装着する前の状態を示す正面図である。
［図１４］は、図１１の自動洗濯機の部品取り外し具を装着した状態を示す正面図である。
【００３７】
＜モーターＭと連結されたクラッチ組立体ＭＣとパルセーターＰがパルセーター駆動軸ＰＳによって直結された自動洗濯機＞
＜自動洗濯機の部品取り外し具＞
自動洗濯機の部品取り外し具１００は、系止部材２、接続部材３、及び打撃部材４から構成されている。
系止部材２が、パルセーター駆動軸ＰＳの雌ねじ部ＰＳＳに螺合される雄ねじ体１と、雄ねじ体１の頭部１ｂを系止するための系止部２ａを有してなり、打撃部材４が、心棒４ａと鍔部４ｂとストッパー部４ｃを有し、鍔部４ｂとストッパー部４ｃの間において、中心部に中空部ＨＭ０を有するハンマー部ＨＭを心棒４ａに挿入してなり、系止部材２と打撃部材４が接続部材３によってねじ接合等により互いに接合される（図３、図４）。ただし、系止部材２と接続部材３とが一体的に接合されていてもよい。
上記において、系止部材２は、同軸上に配置された第１中空円筒２ｄ１と第２中空円筒２ｄ２を有し、第１中空円筒２ｄ１は雄ねじ体１の雄ねじ１ａを挿入できるものであり、第１中空円筒２ｄ１と第２中空円筒２ｄ２の段差部は雄ねじ体１の頭部１ｂを系止するための系止部２ａを形成し、第２中空円筒２ｄ２の端部は、接続部材３をねじ接合する雌ねじ２ｂが形成されている。
上記において、打撃部材４は、ハンマー部ＨＭよりも十分に長い距離を隔てて鍔部４ｂとストッパー部４ｃが設けられており、しかも、ストッパー部４ｃが系止部材２に近い所定位置に設けられ、鍔部４ｂが系止部材２から遠い所定位置に設けられ、ハンマー部ＨＭを鍔部４ｂに衝突させることによって、上向きの衝撃力を生じさせることができるように構成されている。
【００３８】
図６は、自動洗濯機の部品取り外し具１００の他の実施形態を示す正面図である。
この自動洗濯機の部品取り外し具１００は、鍔部４ｂとストッパー部４ｃで直接にハンマー部ＨＭを受けるのではなく、鍔部４ｂとストッパー部４ｃにそれぞれ接する状態で設けた大径かつ厚肉の部材４ｂ１、４ｃ１を介してハンマー部ＨＭを受けるようにしている。
したがって、ハンマー部ＨＭによる衝撃力を大きくした場合であっても、鍔部４ｂによって十分に衝撃力を受けることができる。また、この反動としての、ハンマー部ＨＭの落下をストッパー部４ｃによって十分に受けることができる。
【００３９】
図１１は、自動洗濯機の部品取り外し具１００のさらに他の実施形態の主要部を示す正面図、図１２は、底面図である。
なお、図１１、図１２においては、接続部材３及び打撃部材４は図示を省略している。
この自動洗濯機の部品取り外し具１００に採用されている系止部材５は、所定長さの筒状体５ａの外形を六角柱状に形成していると共に、上半部の内面に、ねじ結合を介してハンマー部ＨＭによる衝撃力の伝達を受けるための雌ねじ部５ｂを形成している。そして、下半部に、雌ねじ部５ｂよりも大径の円柱状空間（パルセーター駆動軸ＰＳの雌ねじ部ＰＳＳに螺合されている雄ねじ体の頭部を収容可能な内径の空間）５ｃを形成していると共に、下端部に、内向き鍔部（パルセーター駆動軸ＰＳの雌ねじ部ＰＳＳに螺合されているビスねじＢＳの頭部より小径、かつパルセーター駆動軸ＰＳの雌ねじ部ＰＳＳに螺合されているビスねじＢＳの軸部より大径の開口部を形成する内向き鍔部）５ｄを形成している。さらに、下半部の側面所定位置に開口するように、円柱状空間５ｃの直径と等しい幅を有すると共に、内向き鍔部５ｄの開口部の直径と等しい幅を有する受け入れ用開口部５ｅを形成して、横方向から、パルセーター駆動軸ＰＳの雌ねじ部ＰＳＳに螺合されているビスねじＢＳの頭部に対する係合、係脱を可能にしている。
【００４０】
＜自動洗濯機の部品取り外し方法＞
以下において記載されていない内容は、＜自動洗濯機の部品取り外し具＞において記載された通りとする。
自動洗濯機の部品取り外し方法は、パルセーター駆動軸ＰＳのビスねじＢＳ（図４）を緩めて取り外した後、パルセーター駆動ＰＳの雌ねじに雄ねじ体１を螺合させると共に、当該雄ねじ体１に上向きの衝撃力を作用させて、パルセーター駆動軸ＰＳと共にパルセーターＰを自動洗濯機本体ＡＷから上方向に取り外す方法である。
上記の自動洗濯機の部品取り外し方法において、上記雄ねじ体１を構成要素として含む自動洗濯機の部品取り外し具１００を用いて、上向きの衝撃力ＰＷを生じさせ、当該雄ねじ体１に衝撃力ＰＷを作用させて、パルセーター駆動軸ＰＳと槽パッキン部との固着状態を解消させ、パルセーター駆動軸ＰＳと共にパルセーターＰを自動洗濯機本体ＡＷから上方向に取り外すことが好ましい。
【００４１】
上記の自動洗濯機の部品取り外し方法において、自動洗濯機の部品取り外し具１００が、中心部が中空ＨＭ０になっているハンマー部ＨＭを有することが好ましく、ハンマー部ＨＭを鍔部４ｂに衝突させることにより、簡単に上向きの衝撃力を生じさせることができる。
上記の自動洗濯機の部品取り外し方法において、上記のようにして、パルセーター駆動軸ＰＳと共にパルセーターＰを自動洗濯機本体ＡＷから上方向に取り外した後に、モーターＭ又は／及びクラッチ組立体ＭＣの第１ブラケットＢ１と内槽ＡＷ１とを結合している第１ナットＮ１を緩めて外し、モーターＭ又は／及びクラッチ組立体ＭＣを、自動洗濯機本体ＡＷの底部開口部ＡＷｏから外に取り外す。
上記の自動洗濯機の部品取り外し方法において、モーターＭ又は／及びクラッチ組立体ＭＣを、自動洗濯機本体ＡＷを横に倒して、自動洗濯機本体ＡＷの底部開口部ＡＷｏから外に取り外すことが好ましく、モーターＭ又は／及びクラッチ組立体ＭＣの取り外し作業を簡単化することができる。
上記の自動洗濯機の部品取り外し方法において、＜自動洗濯機の部品取り外し具＞の何れかに記載の自動洗濯機の部品取り外し具１００を用いることによって、自動洗濯機の部品を取り外すことが好ましい。
【００４２】
図７は自動洗濯機の部品取り外し方法の一実施例を説明するフローチャートである。
ステップＳ１において、パルセーター駆動軸ＰＳのビスねじＢＳを緩めて取り外し、次いで、ステップＳ２において、部品取り外し具１００を自動洗濯機の槽内に挿入し、次いで、ステップＳ３において、パルセーター駆動軸ＰＳの雌ねじ部に系止部材２の雄ねじ体２ａを螺合し、次いで、ステップＳ４において、部品取り外し具１００の打撃部材４のハンマー部ＨＭを上方に移動させて鍔部４ｂに衝突させ、衝撃力を生じさせ、この衝撃力が、系止部材２の雄ねじ体２ａを介してパルセーター駆動軸ＰＳに伝達されることによって、パルセーター駆動軸ＰＳと槽パッキンとの固着状態を解消させ、パルセーター駆動軸ＰＳと共にパルセーターＰを上方向に自動洗濯機から取り外すことができる。
【００４３】
図８は自動洗濯機の部品取り外し方法の他の実施例を説明するフローチャートである。
ステップＳ５において、図７に示す処理を行うことによって、パルセーター駆動軸ＰＳと共にパルセーターＰを上方向に自動洗濯機から取り外し、次いで、ステップＳ６において、パルセーター駆動軸ＰＳと共にパルセーターＰを上方向に自動洗濯機から取り外すことによって露呈された第１ナットＮ１を緩めて第１ボルトＢＮ１から外し、これによって、モーターＭ又は／及びクラッチ組立体ＭＣの第１ブラケットＢ１と内槽ＡＷ１との結合を外し、次いで、ステップＳ７において、第２ナットＮ２を緩めて第２ボルトＢＮ２から外し、これによって、モーターＭ又は／及びクラッチ組立体ＭＣの第２ブラケットＢ２と外槽ＡＷ２との結合を外し、次いで、ステップＳ８において、自動洗濯機本体を横に倒し、次いで、ステップＳ９において、モーターＭ又は／及びクラッチ組立体ＭＣを自動洗濯機本体ＡＷの底部開口部ＡＷｏから外に取り出すことができる。
ただし、ステップＳ８の処理を省略することも可能である。
【００４４】
図１１、図１２の自動洗濯機の部品取り外し具１００を用いて、パルセーター駆動軸ＰＳと共にパルセーターＰを自動洗濯機本体ＡＷから取り外す場合には、自動洗濯機のパルセーター駆動軸ＰＳの雌ねじに螺合しているビスねじＢＳを少しだけ緩めて、ビスねじＢＳの頭部を少しだけ浮き上がらせる（図１３参照）。
この状態において、系止部材５の受け入れ用開口５ｅを通して円柱状空間５ｃにビスねじＢＳの頭部を収容する（図１４参照）。
その後は、上記と同様にしてハンマー部ＨＭによって衝撃力を発生させ、この衝撃力を系止部材５に伝達することによって、パルセーター駆動軸ＰＳと共にパルセーターＰを自動洗濯機本体ＡＷから上方向に取り外すことができる。
【００４５】
＜自動洗濯機の補修方法＞
上記の何れかの自動洗濯機の部品取り外し方法を用いて、互いに固着された自動洗濯機のパルセーター駆動軸ＰＳとパルセーターＰ、及びモーターＭ又は／及びクラッチ組立体ＭＣを取り外した後に、故障したモーターＭｔを新品に取り替えて（図９のステップＳ１１）、新品のモーターＭ１又は／及びクラッチ組立体ＭＣを自動洗濯機本体ＡＷの底部開口部ＡＷｏから中に取り込み（図９のステップＳ１２）、新品のモーターＭ１又は／及びクラッチ組立体ＭＣの第２ブラケットＢ２と外槽ＡＷ２とを結合するための第２ナットＮ２及び第２ボルトＢＮ２を締めて取り付け（図９のステップＳ１３）、新品のモーターＭ１又は／及びクラッチ組立体ＭＣの第１ブラケットＢ１と内槽ＡＷ１とを結合するための第１ナットＮ１及び第１ボルトＢＮ１を締めて取り付ける（図９のステップＳ１４）ことを特徴とする自動洗濯機の補修方法が開示されている。
【００４６】
上記の何れかに記載の自動洗濯機の部品取り外し方法を用いて、自動洗濯機のパルセーター駆動軸ＰＳと固着して一体となったパルセーターＰ、及びモーターＭ又は／及びクラッチ組立体ＭＣを取り外した後に、故障したモーターＭｔを補修し（図１０のステップＳ１５）、補修したモーターＭ２又は／及びクラッチ組立体ＭＣを自動洗濯機本体ＡＷの底部開口部ＡＷｏから中に取り込み（図１０のステップＳ１６）、補修したモーターＭ２又は／及びクラッチ組立体ＭＣの第２ブラケットＢ２と外槽ＡＷ２とを結合するための第２ナットＮ２を締めて取り付け（図１０のステップＳ１７）、補修したモーターＭ２又は／及びクラッチ組立体ＭＣの第１ブラケットＢ１と内槽ＡＷ１とを結合するための第１ナットＮ１を締めて取り付ける（図１０のステップＳ１８）ことを特徴とする自動洗濯機の補修方法が開示されている。
【符号の説明】
【００４７】
ＡＷ              自動洗濯機（本体）
ＡＷ１            内槽
ＡＷ２            外槽
ＡＷｏ            底部開口部
Ｐ                パルセーター
ＰＳ              パルセーター駆動軸
ＰＳＳ            雌ねじ部
ＢＳ              ビスねじ
ＰＷ              衝撃力
１００            部品取り外し具
１                雄ねじ体
１ａ              雄ねじ
１ｂ              頭部
２                系止部材
２ａ              系止部
２ｂ              雌ねじ
２ｄ１            第１中空円筒
２ｄ２            第２中空円筒
３                接続部材
４                打撃部材
４ａ              心棒
４ｂ              鍔部
４ｃ              ストッパー部
５                系止部材
５ａ              筒状体
５ｂ              雌ねじ部
５ｃ              円柱状空間
５ｄ              内向き鍔部
５ｅ              受け入れ用開口
ＨＭ              ハンマー部
ＨＭ０            中空（貫通孔）
Ｍ                モーター
ＭＣ              クラッチ組立体
Ｍ１              新品のモーター
Ｍｔ              故障したモーター
Ｍ２              補修したモーター
Ｂ１              第１ブラケット
Ｂ２              第２ブラケット
Ｎ１              第１ナット
Ｎ２              第２ナット
ＢＮ１            第１ボルト
ＢＮ２            第２ボルト
【図１】
2011067652.tif 000003
【図２】
2011067652.tif 000004
【図３】
2011067652.tif 000005
【図４】
2011067652.tif 000006
【図５】
2011067652.tif 000007
【図６】
2011067652.tif 000008
【図７】
2011067652.tif 000009
【図８】
2011067652.tif 000010
【図９】
2011067652.tif 000011
【図１０】
2011067652.tif 000012
【図１１】
2011067652.tif 000013
【図１２】
2011067652.tif 000014
【図１３】
2011067652.tif 000015
【図１４】
2011067652.tif 000016